(57)【要約】【課題】情報の開示の抑制を希望する相手を検知対象として識別する携帯端末等を提供する。【解決手段】携帯端末は、ネットワークシステムを介して、他の携帯端末の識別用の第１の発光パターンのデータを受信する通信部と、動画像を取得する撮像部と、動画像から所定条件で発光する発光パターンを第２の発光パターンのデータとして取得し、第２の発光パターンのデータと第１の発光パターンのデータとを比較する制御部とを備える。【選択図】図４
2013243506.tif 000002
【特許請求の範囲】
【請求項１】
ネットワークシステムを介して、他の携帯端末から該他の携帯端末を識別するための第１の発光パターンのデータを受信する通信部と、
動画像を取得する撮像部と、
前記動画像から所定条件で発光する発光パターンを第２の発光パターンのデータとして取得し、前記第２の発光パターンのデータと前記第１の発光パターンのデータとを比較する制御部と、
を備える携帯端末。
【請求項２】
前記所定条件は、所定の時間内で所定の幅を超える輝度の変動があることとする、
ことを特徴とする請求項１に記載の携帯端末。
【請求項３】
前記第１の発光パターンのデータは更に発光の色情報を含み、
前記所定条件は、前記発光の色情報に含まれる色と同じ色であることを含む、
ことを特徴とする請求項２に記載の携帯端末。
【請求項４】
発光部と、
該発光部を、前記携帯端末を識別するための第３の発光パターンで発光させるように制御する発光制御部と、を備え、
前記通信部は、前記第３の発光パターンのデータを前記ネットワークシステムに送信する、
ことを特徴とする請求項１乃至３のいずれか１項に記載の携帯端末。
【請求項５】
前記第３の発光パターンのデータは該第３の発光パターンの発光の色情報である第３の色情報を含む、
ことを特徴とする請求項４に記載の携帯端末。
【請求項６】
入力部を備え、
前記発光制御部は、前記入力部からの入力により、前記発光部の発光及び発光の停止を選択する、
ことを特徴とする請求項４又は５に記載の携帯端末。
【請求項７】
前記第３の発光パターンのデータを、公開鍵暗号方式の秘密鍵である第２の秘密鍵で暗号化する暗号化部を備え、
前記通信部は、前記暗号化部で暗号化された前記第３の発光パターンのデータと、暗号化された前記第３の発光パターンのデータを復号するために使用される第２の公開鍵の情報とを合わせて前記ネットワークシステムに送信する、
ことを特徴とする請求項４乃至６のいずれか１項に記載の携帯端末。
【請求項８】
暗号化された情報を復号する復号部を備え、
前記第１の発光パターンのデータは、公開鍵暗号方式による第１の秘密鍵で暗号化されたものであり、
前記通信部は、前記第１の秘密鍵で暗号化された情報を復号するための公開鍵として、前記第１の秘密鍵に対応した、前記ネットワークシステム上に公開されている第１の公開鍵の情報を受信し、
前記復号部は、受信した前記第１の公開鍵により、前記第１の秘密鍵で暗号化された前記第１の発光パターンのデータを復号し、前記第１の発光パターンのデータを取得する、
ことを特徴とする請求項１乃至７のいずれか１項に記載の携帯端末。
【請求項９】
ネットワークシステムを介して、他の携帯端末から該他の携帯端末を識別するための第１の発光パターンのデータを受信し、取得する検出対象発光パターン取得ステップと、
動画像を取得する撮像ステップと、
前記動画像から所定条件で発光する発光パターンを第２の発光パターンのデータとして取得し、前記第２の発光パターンのデータと前記第１の発光パターンのデータとを比較する比較ステップと、
を備える対象検知方法。
【請求項１０】
コンピュータに、
ネットワークシステムを介して、他の携帯端末から該他の携帯端末を識別するための第１の発光パターンのデータを受信し、取得する検出対象発光パターン取得ステップと、
動画像を取得する撮像ステップと、
前記動画像から所定条件で発光する発光パターンを第２の発光パターンのデータとして取得し、前記第２の発光パターンのデータと前記第２の発光パターンのデータとを比較する比較ステップと、
を実行させる対象検知プログラム。
【発明の詳細な説明】
【技術分野】
【０００１】
本発明は、携帯端末、対象検知方法、及び対象検知プログラムに関する。
【背景技術】
【０００２】
初対面で面識がない相手と待ち合わせをする際、その相手を識別するためには、携帯電話番号などの個人の連絡先や、外見上の特徴など、個人情報を互いにやり取りする必要が生じるのが一般的である。
【０００３】
特許文献１には、複数の発光手段と、撮像手段と、撮像手段による画像データに基づく画像を表示可能な表示手段と、表示された画像の所定の領域を選択するための選択手段と、携帯端末機を特定するための複数の識別情報データが各々各発光手段の点灯パターンを示す固有データと対応付けられて記憶される記憶手段と、撮像手段による画像データから取得点灯パターンデータを取得する取得手段と、選択領域画像データから取得された取得点灯パターンデータと複数の固有データとに基づいて、該取得点灯パターンデータに対応する固有データを決定する決定手段と、該固有データに対応する識別情報が割り当てられた携帯端末機と通信する通信手段とを備える個人識別通信システムが開示されている。
【先行技術文献】
【特許文献】
【０００４】
【特許文献１】特開２００８−３０５１９３号公報
【発明の概要】
【発明が解決しようとする課題】
【０００５】
初対面の相手との待ち合わせの際に、その相手を識別するために、個人情報を予め明示しなければならない場合は、その漏洩リスクの懸念が生じる。また、当該相手にさえも個人情報を一切明かさずに待ち合わせ等の目的を果たしたいという状況もあり得る。
【０００６】
しかし、特許文献１に開示されている個人識別通信システムでは、予め、個人情報を含む形で、携帯端末機（以下では携帯端末と記す）を特定するための複数の識別情報データがそれぞれの発光手段の点灯パターンを示す固有データと対応付けられて記憶部に記憶されていなければならず、必然的に携帯電話番号などの個人の連絡先などの個人情報を互いにやり取りする必要が生じる。そのため、このような通信システムでは、個人情報を一切明かさずに待ち合わせし、相手を識別するという目的を達成することができない。
【０００７】
本発明は、係る状況に鑑み、情報の開示の抑制を希望する相手を検知対象として識別することを可能にする携帯端末、対象検知方法、及び対象検知プログラムを提供することを目的とする。
【課題を解決するための手段】
【０００８】
上記目的を達成するため、本発明の第１の観点に係る携帯端末は、
ネットワークシステムを介して、他の携帯端末から該他の携帯端末を識別するための第１の発光パターンのデータを受信する通信部と、
動画像を取得する撮像部と、
前記動画像から所定条件で発光する発光パターンを第２の発光パターンのデータとして取得し、前記第２の発光パターンのデータと前記第１の発光パターンのデータとを比較する制御部と、
を備える。
【０００９】
本発明の第２の観点に係る対象検知方法は、
ネットワークシステムを介して、他の携帯端末から該他の携帯端末を識別するための第１の発光パターンのデータを受信し、取得する検出対象発光パターン取得ステップと、
動画像を取得する撮像ステップと、
前記動画像から所定条件で発光する発光パターンを第２の発光パターンのデータとして取得し、前記第２の発光パターンのデータと前記第１の発光パターンのデータとを比較する比較ステップと、
を備える。
【００１０】
本発明の第３の観点に係る対象検知プログラムは、
コンピュータに、
ネットワークシステムを介して、他の携帯端末から該他の携帯端末を識別するための第１の発光パターンのデータを受信し、取得する検出対象発光パターン取得ステップと、
動画像を取得する撮像ステップと、
前記動画像から所定条件で発光する発光パターンを第２の発光パターンのデータとして取得し、前記第２の発光パターンのデータと前記第１の発光パターンのデータとを比較する比較ステップと、
を実行させる。
【発明の効果】
【００１１】
この発明に依れば、比較の結果を利用することにより、情報の開示の抑制を希望する相手を検知対象として識別することを可能にする携帯端末、対象検知方法、及び対象検知プログラムを提供することができる。
【図面の簡単な説明】
【００１２】
【図１】本発明の実施形態１に係る携帯端末を含む対象検知システムの構成例を示すブロック図である。
【図２】実施形態１に係る準備処理の内容を示すフローチャートである。
【図３】実施形態１に係る対象検知処理の内容を示すフローチャートである。
【図４】実施形態１に係る携帯端末の最小の構成例を示すブロック図である。
【図５】実施形態１の変形例に係る携帯端末を含む対象検知システムの構成例を示すブロック図である。
【図６】本発明の実施形態２に係る携帯端末の構成例を示すブロック図である。
【図７】実施形態２の変形例１に係る携帯端末の構成例を示すブロック図である。
【図８】実施形態２の変形例１に係る対象検知処理の内容を示すフローチャートである。
【図９】実施形態２の変形例２に係る携帯端末の構成例を示すブロック図である。
【図１０】実施形態１及び２に係る携帯端末のハードウェア構成例を示すブロック図である。
【発明を実施するための形態】
【００１３】
（実施形態１）
図１に本発明の実施形態１に係る携帯端末を含む対象検知システムの構成例をブロック図で示す。対象検知システムは携帯端末１と２及びネットワークシステム３で構成される。携帯端末１及び２はそれぞれ２台以上で構成されていてもよい。以下ではそれぞれ１台の場合について説明するが、複数台の場合も同様である。
【００１４】
ネットワークシステム３は、インターネットなど、匿名性を保持しつつ不特定の相手と情報を交換できるシステムである。
【００１５】
図１において、携帯端末１及び２は、例えば携帯電話、スマートフォン、携帯用のゲーム機、タブレットＰＣ（Personal Computer）、ノート型ＰＣ、ＰＤＡ（Personal Data Assistants：携帯情報端末）等である。
【００１６】
携帯端末１は、通信部１０、通信制御部１１、撮像部１２、制御部１００、表示制御部１５、及び表示部１６を備える。制御部１００は発光パターン抽出部１３及びパターン判定部１４を含む。
【００１７】
携帯端末２は、通信部２０、通信制御部２１、発光部２２、発光制御部２３、記憶部２４を備える。
【００１８】
通信部１０は少なくとも受信装置を備え、通信制御部１１の制御により外部から情報を受信する。「外部からの情報を受信する」とは、具体的には、携帯端末２を識別するための識別情報として、携帯端末２から送信された発光パターンのデータを、ネットワークシステム３を経由して受信することである。発光パターンとは、発光の点滅のパターンや発光輝度の強弱のパターンを言い、色情報を含んでもよい。
【００１９】
通信制御部１１は通信部１０の動作を制御し、通信部１０で受信した発光パターンのデータを第１の発光パターンのデータとして取得する。第１の発光パターンが検知対象となる発光パターンである。通信制御部１１は通信部１０に含めてもよいし、制御部１００に含めてもよい。
【００２０】
撮像部１２は、周囲の状況を動画像として撮像し、取得する機能を備えるカメラである。
【００２１】
制御部１００は、ＣＰＵ（Central Processing Unit）とそのワークメモリにより構成される機能要素であり、図１では図示を省略した記憶部に格納されたプログラムをＣＰＵが読み出して実行することにより実現される。制御部１００は、取得した動画像から所定条件で発光する発光パターンを第２の発光パターンのデータとして取得し、第２の発光パターンのデータと第１の発光パターンのデータとを比較する。比較することにより、第２の発光パターンと同じ第１の発光パターンのデータの有無を判定する。より詳細な説明は以下の通りである。
【００２２】
制御部１００の発光パターン抽出部１３は、ＣＰＵ（Central Processing Unit）とそのワークメモリにより構成される機能要素であり、図１では図示を省略した記憶部に格納されたプログラムをＣＰＵが読み出して実行することにより実現される。発光パターン抽出部１３は、撮像部１２で撮像により得られた動画像から、所定の条件で発光する部位を検知し、検知した部位の発光パターンを抽出し、抽出した発光パターンのデータを第２の発光パターンのデータとして取得する。所定の条件とは、動画像中で、例えば「所定の時間内に所定の幅を超える輝度の変動がある」ことである。
【００２３】
制御部１００のパターン判定部１４は、ＣＰＵとそのワークメモリにより構成される機能要素であり、図１では図示を省略した記憶部に格納されたプログラムをＣＰＵが読み出して実行することにより実現される。パターン判定部１４は、第２の発光パターンのデータを第１の発光パターンのデータと比較することにより、第１の発光パターンのデータと一致するどうかを判定する。
【００２４】
表示部１６は、動画像を表示できる表示装置で、液晶表示装置、有機ＥＬ（Electro-Luminescence）表示装置等で構成される。
【００２５】
表示制御部１５は、表示部１６による動画像の表示を制御する。表示制御部１５は、パターン判定部１４で第２の発光パターンのデータが第１の発光パターンのデータと一致すると判定されたときは、一致すると判定された第２の発光パターンのデータを取得した部位を、表示部１６に識別可能に表示する制御を行う。識別可能に表示、とは、例えば、輝度を高めた表示、色調を周囲と変えた表示、所定の単一色とする表示、検知された部位を所定の枠で囲む表示等を言う。表示制御部１５は、表示部１６に含めて構成されてもよいし、制御部１００に含めて構成されてもよい。
【００２６】
携帯端末２の通信部２０は、少なくとも送信装置を備え、通信制御部２１の制御により外部に情報を送信する。送信する情報は、具体的には、第１の発光パターンのデータであり、ネットワークシステム３に送信する。先に説明した携帯端末１がネットワークシステム３を経由して受信する発光パターンのデータがこの第１の発光パターンのデータである。
【００２７】
通信制御部２１は通信部２０の動作を制御する。具体的には、後述する記憶部２４に格納されている第１の発光パターンのデータを読み出して、この第１の発光パターンのデータを通信部２０を介してネットワークシステム３に送信する制御を行う。通信制御部２１は通信部２０に含めて構成されてもよいし、図示を省略した携帯端末２の制御部に含めて構成されてもよい。
【００２８】
発光部２２は、発光装置で構成される。発光装置は、例えばＬＥＤ（Light Emitting Diode）等の発光素子、通常のランプ、バックライトを有する表示部等のいずれかで構成される。発光部２２は携帯端末２に組み込まれたものとしても良いし、携帯端末２と接続されてはいるが、携帯端末２から独立した形で、携帯端末２のユーザが装着してもよい。いずれにしても、発光部２２は、携帯端末２のユーザ以外の者が発光部２２の発光を認識できるように、換言すれば、撮像部１２で発光部２２の発光を撮像することができるように配置されている。
【００２９】
発光制御部２３は、第１の発光パターンで発光するように発光部２２の発光を制御する。第１の発光パターンのデータは、記憶部２４に記憶されている。発光制御部２３は、発光部２２に含めて構成されても良いし、図示を省略した携帯端末２の制御部に含めて構成されてもよい。
【００３０】
記憶部２４は、メモリで構成され、携帯端末２のユーザを識別するための識別情報として第１の発光パターンのデータを格納する。本明細書では第１の発光パターンのデータは携帯端末２を識別するための情報として説明する。メモリは磁気ディスク、各種の半導体メモリ等、任意の型のメモリで構成されうる。
【００３１】
次に、対象検知システムの動作について説明する。対象検知システムの動作は携帯端末２での処理と携帯端末１での処理とに大別される。携帯端末２での処理は携帯端末１での処理の準備処理と言える。図２に携帯端末２による準備処理の内容を、また、図３に携帯端末１による対象検知処理の内容を、それぞれフローチャートで示す。
【００３２】
まず、携帯端末２による準備処理の内容を図２に従って説明する。携帯端末２は、準備処理として、ネットワークシステム３の例えばチャットルームなどの公開ページを利用して、通信部２０を介して、ネットワークシステム３に携帯端末２の識別情報として、第１の発光パターンのデータを送信する（ステップＳ１）。待ち合わせ時間、場所が、現時点の場所、時間と異なるときは、併せて、待ち合わせ場所、時間を指定して送信してもよい。この情報は例えばチャット時に送信されるので、チャットの相手である携帯端末１のユーザはチャット時にこの情報を取得できる。
【００３３】
次に、携帯端末２は、送信した第１の発光パターンのデータと同じ発光パターンで発光部２２を発光させる（ステップＳ２）。なお、待ち合わせの場所、時間の指定がある場合は、携帯端末２は、指定場所で、指定時間に発光部２２を発光させる。以上で携帯端末２の処理は終了する。
【００３４】
次に、図３に従って、携帯端末１による対象検知処理について説明する。携帯端末１は、ネットワークシステム３を介して携帯端末２の識別情報である第１の発光パターンのデータを通信部１０で受信し、これを通信制御部１１を介して取得する（ステップＳ１０）。なお、このとき併せて携帯端末２からネットワークシステム３に待ち合わせの場所と時間を指定した情報が送信されたときは、携帯端末１はネットワークシステム３を介して、当該場所と時間を指定場所、指定時間として受信する。この処理は、携帯端末２が、図２のステップＳ１で、携帯端末２の識別情報としてネットワークシステム３に送信した第１の発光パターンのデータをネットワークシステム３を介して受信するという処理である。
【００３５】
次に、携帯端末１は撮像部１２で周囲の状況を撮像して動画像として取得する（ステップＳ１１）。なお、携帯端末１が、指定場所、指定時間を受信しているときは、このステップＳ１１の処理は指定場所で、指定時間に実行される。
【００３６】
携帯端末１は、制御部１００の発光パターン抽出部１３を介して、撮像部１２で取得した動画像から所定の条件で発光する部位を検知する（ステップＳ１２）。所定の条件とは、既に説明したとおり、例えば、所定の時間内に所定の幅を超える輝度の変動があるということであるが、この所定の時間を所定の時間Ａとすると、所定の時間Ａは、あり得る第１の発光パターンに基づき予め設定される。すなわち、あり得る第１の発光パターンのうち最も長い周期の発光の変化を想定し、発光の輝度の変動が複数回起こるような時間幅を所定の時間Ａとする。所定の幅は、あり得る第１の発光パターンのうち、変動時の輝度の極大値と極小値の差分値の中で最も小さい差分値を超えない値でこの差分値に近い値とする。所定の条件を満たす部位は複数検知されることもあるし、検知されないこともある。
【００３７】
発光パターン抽出部１３は、検知した部位を対象に所定の時間Ｂの間の発光パターンを抽出し、第２の発光パターンのデータとして取得する（ステップＳ１３）。所定の時間Ｂは、この時間内の発光パターンの違いにより識別できると想定される数をどの程度に設定するかに基づき、予め決定される。所定の条件を満たす部位が複数検知されたときは第２の発光パターンのデータも複数になる。
【００３８】
制御部１００のパターン判定部１４は、第２の発光パターンのデータと第２の発光パターンのデータとを比較して、第１の発光パターンのデータと一致する第２の発光パターンのデータがあるかどうかを判定する（ステップＳ１４）。判定の結果、第１の発光パターンのデータと一致する第２の発光パターンのデータがある場合は（ステップＳ１４；ＹＥＳ）、表示制御部１５は、検知された部位のうち、第１の発光パターンと一致する第２の発光パターン、すなわち、第１の発光パターンと同じ発光パターンで発光する部位を、表示部１６に識別可能に表示する制御を行い（ステップＳ１５）、対象検知処理を終了する。この制御により表示部１６は、第１の発光パターンと同じ発光パターンで発光する部位を識別可能に表示する。
【００３９】
判定の結果、第１の発光パターンのデータと一致する第２の発光パターンのデータがない場合は（ステップＳ１４；ＮＯ）、携帯端末１は、処理を継続するかどうかを判定し（ステップＳ１６）、継続する場合は（ステップＳ１６；ＹＥＳ）ステップＳ１１に戻る。具体的には、撮像部１２で撮像する範囲を変えて撮像して、その後の処理を繰り返す。処理を継続しない場合は（ステップＳ１６；ＮＯ）、対象検知処理を終了する。なお、処理を継続するかどうかは、図示を省略した例えば入力部からの入力により判定される。
【００４０】
なお、撮像部１２が、取得した動画像の色成分毎の輝度を出力する機能を有している場合は、第２の発光パターンのデータに更にその発光の色成分の情報として第２の色情報を加えてもよい。この場合は、第１の発光パターンのデータも同様に発光の色成分の情報として第１の色情報を含む。
【００４１】
このとき、発光パターン抽出部１３は、「第２の色情報が第１の色情報と同じ」ことを所定の条件に加えることができる。所定の条件をこのようにしたときは、第１の色情報の色で発光している部位のみが検知の対象となる。所定の条件に色に関する条件を加えない場合は、発光パターン抽出部１３は、第２の発光パターンのデータに、第２の色情報を含めることができる。このときは、パターン判定部１４は、色情報を含めて第１の発光パターンのデータと一致する第２の発光パターンのデータがあるかどうかを判定する。
【００４２】
実施形態１に係る携帯端末１に依れば、相手を識別するための情報である第１の発光パターンのデータを、ネットワークシステム３を介して受信し、撮像した動画像から所定の条件で発光する部位の発光パターンのデータを第２の発光パターンのデータとして取得し、第１の発光パターンのデータと比較することができる。この比較の結果を利用することにより、第１の発光パターンで発光する部位を検知することが可能となり、個人情報の開示の抑制を希望する相手を検知対象として識別することができる。
【００４３】
また、実施形態１に係る携帯端末１に依れば、第１の発光パターンのデータに色情報を含めることにより、更に信頼性を向上させて、個人情報の開示の抑制を希望する相手を検知対象として識別することを可能にする。
【００４４】
なお、通信制御部１１を通信部１０又は制御部１００に含め、発光パターン抽出部１３とパターン判定部１４を分けずに制御部１００が両方の機能を兼ねるという構成にしても良い。本実施形態１では制御部１００の機能が必須の機能であるため、表示部１６と表示制御部１５とを携帯端末１の構成から切り離してもよい。このようにした場合の携帯端末１の構成を図４に示す。図４は実施形態１に係る携帯端末１の最小の構成を示す。
【００４５】
図５に実施形態１の変形例に係る携帯端末を含む対象検知システムの構成例をブロック図で示す。
【００４６】
図５に示す対象検知システムが図１に示す対象検知システムと異なる点は、携帯端末１は復号部１７を、携帯端末２は暗号化部２５を備えていることである。図５中、図１と同じ符号を付した構成要素は、図１の場合と同じである。
【００４７】
暗号化部２５は、第１の発光パターンのデータを暗号化する。通信制御部２１は、通信部２０を介して暗号化された第１の発光パターンのデータをネットワークシステム３に送信する。
【００４８】
通信制御部１１は、通信部１０を介して、暗号化された第１の発光パターンのデータをネットワークシステム３から取得し、復号部１７は暗号化された第１の発光パターンのデータを復号する。
【００４９】
第１の発光パターンのデータの暗号化とその復号は例えば公開鍵方式によることとする。この場合の公開鍵方式は、第１の発光パターンのデータを、秘密鍵で暗号化し、公開鍵で復号する方式とする。
【００５０】
従って、携帯端末２は、通信制御部２１と通信部２０とを介して、第１の発光パターンのデータを暗号化する際に使用した秘密鍵に対応する公開鍵をネットワークシステム３に送信し、公開する。一方、携帯端末１は、通信制御部１１と通信部１０とを介してネットワークシステム３上に携帯端末２により公開されている公開鍵を受信し、復号部１７における暗号化された第１の発光パターンのデータの復号に使用する。
【００５１】
この変形例における携帯端末２の準備処理と携帯端末１の対象検知処理の内容は、基本
的には図２と図３とにそれぞれ示す処理と基本的には同じであるが、図２のステップＳ１では、第１の発光パターンのデータは暗号化されたものであることと、公開鍵の情報をネットワークシステム３に送信するという処理が追加され、図３のステップＳ１０では、ネットワークシステム３から公開鍵の情報を取得し、取得した公開鍵により暗号化された第１の発光パターンのデータを復号するという処理が追加されるという点が図２、図３の場合と異なる。
【００５２】
この変形例に依れば、公開鍵方式による第１の発光パターンのデータの暗号化と復号により、第１の発光パターンのデータの送信元は公開鍵に対応した秘密鍵を有する携帯端末２のユーザであることが担保され、従って、送信元を偽って第１の発光パターンのデータを送信することが困難になる。そのため、携帯端末１は、検知対象を正しく識別することを可能にするという効果を奏することができる。
【００５３】
なお、暗号化と復号の方式は、上記と同様の効果を奏することができる方式であれば公開鍵方式に限る必要はない。
【００５４】
この変形例においても通信制御部１１を通信部１０又は制御部１００に含め、発光パターン抽出部１３とパターン判定部１４を制御部１００で兼ね、表示部１６と表示制御部１５を携帯端末１の構成から切り離してもよい。この場合も上記変形例に係る効果を同様に奏することができる。
【００５５】
（実施形態２）
図６に実施形態２に係る携帯端末１の構成例をブロック図で示す。図１に示す携帯端末１と異なる点は、携帯端末１が、発光部１８、発光制御部１９、記憶部１１０を備えることである。すなわち、携帯端末１は、図１に示す携帯端末２の構成要素と同じ構成要素を併せ持つ。
【００５６】
記憶部１１０は第３の発光パターンのデータを格納する。通信制御部１１は、通信部１０を介して第３の発光パターンのデータをネットワークシステム３に送信する。更に、発光制御部１９は第３の発光パターンのデータに基づき、第３の発光パターンで発光するように発光部１８を制御する。
【００５７】
実施形態２に係る携帯端末１は、図２のステップＳ１とＳ２の処理を、第１の発光パターンを第３の発光パターンと読み替え、実行主体も携帯端末２から携帯端末１の該当する要素に置き換えて、図３のいずれかのステップの間に入れ込んで実行する。例えばステップＳ１とＳ２に該当する処理をステップＳ１０の前に実行しても良いし、ステップＳ２に該当する処理についてはステップＳ１５の後に実行してもよい。
【００５８】
実施形態２に係る携帯端末１に依れば、相手の携帯端末２も携帯端末１と同様の構成にし、実施形態１の場合と同様に、比較結果を利用することにより、個人情報の開示の抑制を希望する相手を互いに識別することが可能になる。
【００５９】
図７に実施形態２の変形例１に係る携帯端末１の構成例をブロック図で示す。図６に示す構成例と異なる点は携帯端末１が入力部１２０を備えることである。
【００６０】
入力部１２０は、発光部１８の発光及び発光の停止の指示を入力する。発光制御部１９はこの入力に基づき、発光部１８を第３の発光パターンで発光させるか、又は発光させない若しくはその発光を停止する制御を行う。
【００６１】
実施形態２に係る携帯端末１の動作を図８に示すフローチャートで説明する。図８は携帯端末１による対象検知処理の内容を示しており、各ステップ中、図３のステップと同じ内容の処理については図３の該当するステップと同じ符号を付した。
【００６２】
図８において、携帯端末１は通信制御部１１及び通信部１０を介して第３の発光パターンのデータをネットワークシステム３に送信する（ステップＳ２０）。ステップＳ２０の処理内容は、図２のステップＳ１の処理内容を「第１の発光パターン」を「第３の発光パターン」に、「通信制御部２１」を「通信制御部１１」に、「通信部２０」を「通信部１０」に読み替えた場合と同じである。ステップＳ２１は図３のステップＳ１０〜Ｓ１３の処理を実行する内容である。ステップＳ１４〜Ｓ１６も図３のステップＳ１４〜Ｓ１６と同じ内容である。
【００６３】
ステップＳ１５の後、すなわち、第１の発光パターンと同じ発光パターンで発光する部位を識別可能に表示した後、発光制御部１９は、入力部１２０を介して発光を指示する入力がなされたかどうかを判定する（ステップＳ２２）。発光を指示する入力がなされたときは（ステップＳ２２；ＹＥＳ）、発光制御部１９は第３の発光パターンで発光部１８を発光させる（ステップＳ２３）。ステップＳ２３の処理内容は、図２のステップＳ２の処理内容中「第１の発光パターン」を「第３の発光パターン」に読み替え、携帯端末２を携帯端末１の該当する要素に置き換えた場合と同じである。ステップＳ１５の後、発光を指示する入力が所定の時間内にないときは（ステップＳ２２；ＮＯ）、対象検知処理を終了する。
【００６４】
このような処理により、携帯端末１のユーザは取得した第１の発光パターンで識別される相手を表示部１６で確認した後、自己の識別情報である第３の発光パターンによる発光を行うかどうかを選択することができる。従って、第１の発光パターンで識別される相手がいないかもしれないときに、想定外の相手に対して不用意に自己の位置を知らせることに伴う危険性を低減できる。更に、第１の発光パターンで識別される相手を確認した場合であっても、自己の識別情報である第３の発光パターンによる発光を行わないという選択が可能であるため、見た目で違和感があるような、好ましくないと思われる相手に対して不用意に自己の位置を知らせることに伴う危険性を回避できる。
【００６５】
図９に実施形態２の変形例２に係る携帯端末１の構成例をブロック図で示す。図６に示す構成例と異なる点は、携帯端末１が復号部１７と暗号化部１３０を備えることである。
【００６６】
この変形例２は図６に実施形態２を反映させたものである。復号部１７は、図５に示す復号部１７と同じであり、暗号化部１３０は図５に示す携帯端末２の暗号化部２５と同じ機能を有する。なお、暗号化と復号を公開鍵方式で処理する場合には、図９の暗号化部１３０に対応する秘密鍵及び公開鍵のセットと、図５の暗号化部２５と復号部１７に対応した秘密鍵及び公開鍵のセットとは、同じものであることを妨げないが、通常は異なるものとする。
【００６７】
この変形例２に係る携帯端末１を有する対象検知システムに依れば、個人情報の開示の抑制を希望する相手を検知対象として互いに識別することが可能になるとともに、携帯端末１は、実施形態２で説明した暗号化による効果を併せて奏することができる。
【００６８】
なお、この変形例２に係る携帯端末１に図７に示す入力部１２０を加えて、図８で説明した処理を実行させることも可能である。この場合は、携帯端末１は変形例１で説明した効果をも併せて奏することができる。
【００６９】
実施形態２においても通信制御部１１を通信部１０又は制御部１００に含め、発光パターン抽出部１３とパターン判定部１４を制御部１００で兼ね、表示部１６と表示制御部１５を携帯端末１の構成から切り離してもよい。この場合も上記変形例に係る効果を同様に奏することができる。
【００７０】
以上の実施形態に係る携帯端末１のハードウェア構成例を図１０に示す。携帯端末１はＣＰＵ３０、内部メモリ４０、外部メモリ５０、通信装置６０、表示装置７０、入力装置８０、及びこれらを接続するバス９０を含む。
【００７１】
外部メモリ５０は磁気ディスクや光ディスク等で構成され制御プログラムを含む各種プログラムや各種データが格納される。この外部メモリ５０は実施形態２の記憶部１１０を構成する。実施形態１でも制御プログラム等を格納している記憶部は存在するが、図１、４では明示されていない。なお、外部メモリ５０は１台で構成される必要はない。
【００７２】
内部メモリ４０はＲＯＭ（Read Only Memory）、ＲＡＭ（Random Access Memory）、キャッシュメモリなどで構成され、ＲＡＭやキャッシュメモリはＣＰＵ３０の処理の際の実行プログラムの一時的な格納やプログラムの実行により生成されるデータの一時的な格納等にワークメモリとして利用される。また、ＲＯＭにはデータや小容量のプログラムなどが格納されＣＰＵ３０の利用に供される。
【００７３】
ＣＰＵ３０は外部メモリ５０に格納されている制御プログラムを内部メモリ４０に読み出して実行することにより、バス９０に接続されている機器を含めて携帯端末１全体の制御を行う。なお、ＣＰＵ３０と内部メモリ４０とで携帯端末１の制御部１００の機能が実現され、当然に制御部１００の発光パターン抽出部１３及びパターン判定部１４の機能構成要素の機能も実現される。
【００７４】
通信装置６０は外部との通信を行い情報の送受信を行う。携帯端末１の通信部１０と通信制御部１１とは通信装置６０で構成される。なお、通信制御部１１をＣＰＵ３０と内部メモリ４０とで構成される制御部１００に含めても良い。
【００７５】
表示装置７０は各種ディスプレイ装置の１つで構成され、ユーザに対して各種の情報を可視化して提供する。表示部１６と表示制御部１５とは表示装置７０で構成される。なお、表示制御部１５をＣＰＵ３０と内部メモリ４０とで構成される制御部１００に含めても良い。
【００７６】
入力装置８０はキーボードやマウスなど、ユーザの操作により指示を含む情報を携帯端末１に入力するための装置である。入力装置８０は携帯端末１の入力部１２０を構成する。なお、その他の情報を入力する機器を含んでもよい。
【００７７】
図１０に示す携帯端末１はＣＰＵ３０を備えており、コンピュータと考えることができる。従って、各実施形態のフローチャートで示した処理内容はコンピュータのプログラムの処理内容と考えてもよい。
【００７８】
このプログラムはコンピュータ読み取り可能な記録媒体に記録して保存することができる。図１０の入力装置８０の一つとして記録媒体に記録された内容を読み取る読み取り装置を備え、この読み取り装置を介して記録媒体に記録されたプログラムを読み取り、読み取ったプログラムをＣＰＵ３０で実行するようにしてもよい。
【００７９】
上記の実施形態の一部又は全部は、以下の付記のようにも記載されうるが、以下には限られない。
【００８０】
（付記１）
ネットワークシステムを介して、他の携帯端末から該他の携帯端末を識別するための第１の発光パターンのデータを受信する通信部と、
動画像を取得する撮像部と、
前記動画像から所定条件で発光する発光パターンを第２の発光パターンのデータとして取得し、前記第２の発光パターンのデータと前記第１の発光パターンのデータとを比較する制御部と、
を備える携帯端末。
【００８１】
（付記２）
前記所定条件は、所定の時間内で所定の幅を超える輝度の変動があることとする、
ことを特徴とする付記１に記載の携帯端末。
【００８２】
（付記３）
前記第１の発光パターンのデータは更に発光の色情報を含み、
前記所定条件は、前記発光の色情報に含まれる色と同じ色であることを含む、
ことを特徴とする付記２に記載の携帯端末。
【００８３】
（付記４）
前記第１の発光パターンのデータは、発光の色情報を第１の色情報として含み、
前記制御部は、前記第２の発光パターンの発光の色情報を第２の色情報として取得し、前記第２の色情報と前記第１の色情報とを比較する、
ことを特徴とする付記２に記載の携帯端末。
【００８４】
（付記５）
発光部と、
該発光部を、前記携帯端末を識別するための第３の発光パターンで発光させるように制御する発光制御部と、を備え、
前記通信部は、前記第３の発光パターンのデータを前記ネットワークシステムに送信する、
ことを特徴とする付記１乃至４のいずれかに記載の携帯端末。
【００８５】
（付記６）
前記第３の発光パターンのデータは該第３の発光パターンの発光の色情報である第３の色情報を含む、
ことを特徴とする付記５に記載の携帯端末。
【００８６】
（付記７）
入力部を備え、
前記発光制御部は、前記入力部からの入力により、前記発光部の発光及び発光の停止を選択する、
ことを特徴とする付記５又は６に記載の携帯端末。
【００８７】
（付記８）
前記第３の発光パターンのデータを、公開鍵暗号方式の秘密鍵である第２の秘密鍵で暗号化する暗号化部を備え、
前記通信部は、前記暗号化部で暗号化された前記第３の発光パターンのデータと、暗号化された前記第３の発光パターンのデータを復号するために使用される第２の公開鍵の情報とを合わせて前記ネットワークシステムに送信する、
ことを特徴とする付記５乃至７のいずれかに記載の携帯端末。
【００８８】
（付記９）
暗号化された情報を復号する復号部を備え、
前記第１の発光パターンのデータは、公開鍵暗号方式による第１の秘密鍵で暗号化されたものであり、
前記通信部は、前記第１の秘密鍵で暗号化された情報を復号するための公開鍵として、前記第１の秘密鍵に対応した、前記ネットワークシステム上に公開されている第１の公開鍵の情報を受信し、
前記復号部は、受信した前記第１の公開鍵により、前記第１の秘密鍵で暗号化された前記第１の発光パターンのデータを復号し、前記第１の発光パターンのデータを取得する、
ことを特徴とする付記１乃至８のいずれかに記載の携帯端末。
【００８９】
（付記１０）
発光部と、
該発光部を、第１の発光パターンで発光させるように制御する発光制御部と、
前記第１の発光パターンのデータをネットワークシステムに送信する通信部と、
を備える携帯端末。
【００９０】
（付記１１）
ネットワークシステムを介して、他の携帯端末から該他の携帯端末を識別するための第１の発光パターンのデータを受信し、取得する検出対象発光パターン取得ステップと、
動画像を取得する撮像ステップと、
前記動画像から所定条件で発光する発光パターンを第２の発光パターンのデータとして取得し、前記第２の発光パターンのデータと前記第１の発光パターンのデータとを比較する比較ステップと、
を備える対象検知方法。
【００９１】
（付記１２）
コンピュータに、
ネットワークシステムを介して、他の携帯端末から該他の携帯端末を識別するための第１の発光パターンのデータを受信し、取得する検出対象発光パターン取得ステップと、
動画像を取得する撮像ステップと、
前記動画像から所定条件で発光する発光パターンを第２の発光パターンのデータとして取得し、前記第２の発光パターンのデータと前記第２の発光パターンのデータとを比較する比較ステップと、
を実行させる対象検知プログラム。
【００９２】
（付記１３）
コンピュータに、
ネットワークシステムを介して、他の携帯端末から該他の携帯端末を識別するための第１の発光パターンのデータを受信し、取得する検出対象発光パターン取得ステップと、
動画像を取得する撮像ステップと、
前記動画像から所定条件で発光する発光パターンを第２の発光パターンのデータとして取得し、前記第２の発光パターンのデータと前記第１の発光パターンのデータとを比較する比較ステップと、
を実行させる対象検知プログラムを記録するコンピュータ読み取り可能な記録媒体。
【符号の説明】
【００９３】
１、２  携帯端末
３  ネットワークシステム
１０、２０  通信部
１１、２１  通信制御部
１２  撮像部
１３  発光パターン抽出部
１４  パターン判定部
１５  表示制御部
１６  表示部
１７  復号部
１８、２２  発光部
１９、２３  発光制御部
２４、１１０  記憶部
２５、１３０  暗号化部
３０  ＣＰＵ
４０  内部メモリ
５０  外部メモリ
６０  通信装置
７０  表示装置
８０  入力装置
９０  バス
１００  制御部
１２０  入力部
【図１】
2013243506.tif 000003
【図２】
2013243506.tif 000004
【図３】
2013243506.tif 000005
【図４】
2013243506.tif 000006
【図５】
2013243506.tif 000007
【図６】
2013243506.tif 000008
【図７】
2013243506.tif 000009
【図８】
2013243506.tif 000010
【図９】
2013243506.tif 000011
【図１０】
2013243506.tif 000012